(57)【特許請求の範囲】
【請求項１】
熱交換器部と該熱交換器部に取り付けるバーナーを収納したバーナーケースとを具備する燃焼機のバーナーユニットにおいて、
前記バーナーを収納した前記バーナーケースを、前記熱交換器部に着脱可能とする取付け機構を備え、
前記取付け機構は、前記熱交換器部の両側面の下部に設けたガイド部と該ガイド部に導かれる前記バーナーケースの両側面の上部に設けた被ガイド部とを具備し、
前記両側面のガイド部は前記バーナーケースをその間に出し入れするときに前記被ガイド部を導いて前記バーナーケースの受入れ端部から前記バーナーケースが前記熱交換器部の下部に至る他端部までの間、前記バーナーケースを一定の傾斜方向に沿って変位させるように前記受入れ端部側から他端部側に向けて上向きに連続する第１傾斜部を有し、
前記第１傾斜部の全長は前記バーナーケースの長さとほぼ同じ長さであり、
前記両側面のガイド部は、ガスケットが設けられる面から第１傾斜部までの間は覆われており、
前記被ガイド部は前記バーナーケースを前記両側面のガイド部の間に出し入れしたとき、前記バーナーケースの上面が前記熱交換器部の下部に対して常に平行となるように前記バーナーケースの一端側から他端側に向けて上向きに連続する第２傾斜部を有することを特徴とする燃焼機のバーナーユニット。
【請求項２】
前記熱交換器部の下部には前記受入れ端部側に起立した支持片を設け、
前記バーナーケースの一端部の上部にはバーナーケースを前記ガイド部間に収納し、密着固定するときに前記支持片に掛けることの可能な掛止片を設けたことを特徴とする請求項１に記載の燃焼機のバーナーユニット。
【発明の詳細な説明】
【０００１】
【発明の属する技術分野】
本発明は、熱交換器部と該熱交換器部に取り付けるバーナーを収納したバーナーケースとを具備する燃焼機のバーナーユニットに関する。
【０００２】
【従来の技術】
従来この種の燃焼機のバーナーユニットとしては、例えば、図５に示すようなものがある。
【０００３】
すなわち、熱交換器１とバーナーケース２とは間にガスケット６及び内ケース４を介して固着されており、バーナー３はバーナーケース２の下部に設けた開口７からバーナーケース２の内部に装着し、開口７をカバー８で塞いだバーナーユニットである。
【０００４】
熱交換器とバーナーケースとは密閉して連通している必要があるので、通常は上記のように間にガスケットを挟んで固定されている。
【０００５】
【発明が解決しようとする課題】
しかしながら、このような従来のバーナーユニットでは熱交換器とバーナーケースが固定されているので、熱交換器やバーナーのメインテナンス、また、それらおよびバーナーケースの清掃等を行うときに手間がかかるという問題点があった。
【０００６】
本発明は、このような従来の問題点に着目してなされたもので、バーナーをバーナーケースに収容して一体化したものを良好な気密性を発揮させながら熱交換器の下部に容易に着脱可能とすることによって、燃焼機のメインテナンスや清掃が容易にできる燃焼機のバーナーユニットを提供することを目的としている。
【０００７】
【課題を解決するための手段】
かかる目的を達成するための要旨とするところは、次の各項に存する。
【０００９】
［１］  熱交換器部（３０）と該熱交換器部（３０）に取り付けるバーナー（Ｂ）を収納したバーナーケース（Ｃ）とを具備する燃焼機のバーナーユニット（１０）において、
前記バーナー（Ｂ）を収納した前記バーナーケース（Ｃ）を、前記熱交換器部（３０）に着脱可能とする取付け機構（２０）を備え、
前記取付け機構（２０）は、前記熱交換器部（３０）の両側面の下部に設けたガイド部（２１）と該ガイド部（２１）に導かれる前記バーナーケース（Ｃ）の両側面の上部に設けた被ガイド部（４１）とを具備し、
前記両側面のガイド部（２１）は前記バーナーケース（Ｃ）をその間に出し入れするときに前記被ガイド部（４１）を導いて前記バーナーケース（Ｃ）の受入れ端部（２３）から前記バーナーケース（Ｃ）が前記熱交換器部（３０）の下部に至る他端部（２４）までの間、前記バーナーケース（Ｃ）を一定の傾斜方向に沿って変位させるように前記受入れ端部（２３）側から他端部（２４）側に向けて上向きに連続する第１傾斜部（Ｓ１）を有し、
前記第１傾斜部（Ｓ１）の全長は前記バーナーケース（Ｃ）の長さとほぼ同じ長さであり、
前記両側面のガイド部（２１）は、ガスケット（Ｇ）が設けられる面から第１傾斜部（Ｓ１）までの間は覆われており、
前記被ガイド部（４１）は前記バーナーケース（Ｃ）を前記両側面のガイド部（４１）の間に出し入れしたとき、前記バーナーケース（Ｃ）の上面が前記熱交換器部（３０）の下部に対して常に平行となるように前記バーナーケース（Ｃ）の一端側（ｃ１）から他端側（ｃ２）に向けて上向きに連続する第２傾斜部（Ｓ２）を有することを特徴とする燃焼機のバーナーユニット（１０）。
【００１０】
［２］  前記熱交換器部（３０）の下部には前記受入れ端部（２３）側に起立した支持片（２５）を設け、
前記バーナーケース（Ｃ）の一端部の上部には前記バーナーケース（Ｃ）を前記ガイド部（２１）間に収納し、密着固定するときに前記支持片（２５）に掛けることの可能な掛止片（４２）を設けたことを特徴とする項１に記載の燃焼機のバーナーユニット（１０）。
【００１１】
燃焼機のバーナーユニット（１０）は取付け機構（２０）により熱交換器部（３０）にバーナー（Ｂ）を収納したバーナーケース（Ｃ）が着脱可能に取り付けられる。
【００１３】
前記バーナーケース（Ｃ）を前記両側面の前記ガイド部（２１）の間に出し入れしたとき、前記ガイド部（２１）の前記バーナーケース（Ｃ）を受け入れる前記受入れ端部（２３）側から前記他端部（２４）側に向けて上向きに連続するように設けた第１傾斜部（Ｓ１）に対して、前記被ガイド部（４１）の前記バーナーケース（Ｃ）の一端側（ｃ１）から他端側（ｃ２）に向けて上向きに連続するように設けた第２傾斜部（Ｓ２）が摺動する。それによって、前記バーナーケース（Ｃ）が前記受入れ端部（２３）から前記他端部（２４）の間を移動する間、その上面は前記熱交換器部（３０）の下部に対して常に平行状態を保って上下方向に変位する。
【００１４】
したがって、前記バーナーケース（Ｃ）を前記ガイド部（２１）間に押し込んだとき、前記バーナーケース（Ｃ）の上面は前記熱交換器部（３０）の下部と擦れることなく、前記バーナーケース（Ｃ）を完全に押し込んだ位置で前記熱交換器部（３０）の下部と当接する。その状態で前記熱交換器部（３０）に固定することで、容易に前記バーナーケース（Ｃ）を前記熱交換器部（３０）に密着させることができる。
【００１５】
前記熱交換器部（３０）と前記バーナーケース（Ｃ）の密閉性をより高めるために前記熱交換器部（３０）下部の前記受入れ端部（２３）側に支持片（２５）を起立させて設け、前記バーナーケース（Ｃ）の一端部の上部には前記支持片（２５）に掛けることの可能な掛止片（４２）を設ければ、前記バーナーケース（Ｃ）を前記熱交換器部（３０）に密着固定する際、前記支持片（２５）に前記掛止片（４２）を掛けると前記バーナーケース（Ｃ）と前記熱交換器部（３０）との接触面の間隔がより小さく維持できるので密閉性がより高められる。
【００１６】
一方、前記熱交換器部（３０）や前記バーナー（Ｂ）のメインテナンス、また、それらおよび前記バーナーケース（Ｃ）の清掃等を行うときは、前記バーナーケース（Ｃ）を前記熱交換器部（３０）から取り外すが、その際、前記被ガイド部（４１）が前記ガイド部（２１）に支持されているので容易に前記バーナーケース（Ｃ）を取り外すことが可能である。
【００１７】
【発明の実施の形態】
以下、図面に基づき本発明の一形態を説明する。
【００１８】
図１から図４は本発明の一形態を示している。
【００１９】
図１に示すように、バーナーユニット１０は燃焼機に取り付けられるものであり、熱交換器部３０、６０とその下部に取り付けるバーナーＢを収納したバーナーケースＣとを具備している。熱交換器部３０、６０の上にはカバーが取り付けられている。このようなバーナーユニットを備える燃焼機としては例えば一般家庭における給湯や風呂のために用いるもの等がある。以下、熱交換器部３０とそれに取り付けるバーナーＢを収納したバーナーケースＣに関して説明し、熱交換器部６０およびそれに関連する装置に関しては同様の構成とすることができるので詳しい説明は省略する。
【００２０】
図１および図２に示したものは給湯用の熱交換器部３０と風呂用の熱交換器部６０を内部に備える燃焼機の一部を示したものである。図示省略したが、熱交換器部６０にもバーナーが取り付けられる。熱交換器部３０および熱交換器部６０の周囲に回らされた管状体３１、６１はそれぞれ熱交換器３０、６０への給水および熱交換器３０、６０によって加熱された温湯の出湯のための給湯回路の一部である。
【００２１】
バーナーユニット１０はバーナーＢを収納し固定したバーナーケースＣを、熱交換器部３０の下部に着脱容易に取り付けることのできる取付け機構２０を備えている。
【００２２】
取付け機構２０は、熱交換器部３０の両側面の下部に設けたガイド部２１、２１とそれに導かれるバーナーケースＣの両側面の上部に設けた被ガイド部４１、４１とから成る。
【００２３】
図２に示したように、ガイド部２１、２１は例えばステンレス鋼のような金属で作られ、熱交換器部３０の両側面の下部から鉛直に下垂する平面部分と下辺部付近を内側に直角に折り曲げた部分Ｓ１から成っている。図３に示したように前記の下辺部付近を内側に直角に折り曲げた部分Ｓ１はバーナーケースＣを熱交換器部３０の下部に着脱するときに、バーナーケースＣを一定の傾斜方向に沿って変位させるように受入れ端部２３側から他端部２４側に向けて一定の勾配で上向きに連続する第１傾斜部Ｓ１を形成している。ガイド部２１、２１の間隔および第１傾斜部Ｓ１、Ｓ１の幅は後述する被ガイド部４１、４１を把持できる大きさとしてある。
【００２４】
バーナーケースＣにはその両側面の上部に被ガイド部４１、４１が設けられている。
【００２５】
被ガイド部４１、４１もステンレス鋼やその他の金属で作り、図１および図２に示したようにガイド部４１内に収まる断面コ字形に形成されたものである。被ガイド部４１の底面は図３および図４に示したようにバーナーケースＣをガイド部２１、２１の間に出し入れするときガイド部２１の第１傾斜部Ｓ１に対して摺動可能で、バーナーケースＣの上面が熱交換器部３０の下部に対して常に平行となるようにバーナーケースＣの一端側ｃ１から他端側ｃ２に向けて第１傾斜部Ｓ１と同じ勾配で上向きに連続する第２傾斜部Ｓ２を形成している。
【００２６】
図２乃至図４に示したように、バーナーケースＣの上面の周縁部には熱交換器部３０の下部に取り付けたとき気密性を保つためのガスケットＧが設けられている。
【００２７】
また、熱交換器部３０の下部には受入れ端部２３側に起立した板状の支持片２５を設けてある。一方、バーナーケースＣの一端部ｃ１の上部にはバーナーケースＣをガイド部２１間に収納して密着固定するときに支持片２５に掛けることの可能な板状の掛止片４２を設けてある。掛止片４２はバーナーケースＣの一端部ｃ１から起立する平面と、その上部を支持片２５に掛けるために他端部ｃ２側へ向けて折り曲げた部分から成るものである。掛止片４２の起立部分と支持片２５にはバーナーケースＣを熱交換器部３０の下部に固定させるためのネジ穴（図示せず）が形成されており、バーナーケースＣをガイド部２１、２１間に完全に押し込んだとき掛止片４２の起立部分は支持片２５と接し、ネジ穴が一致する。
【００２８】
次に作用を説明する。
【００２９】
図３および図４において、燃焼機のバーナーユニット１０の熱交換器部３０にバーナーＢを収納して固定したバーナーケースＣを取り付る過程の状態が示されている。
【００３０】
取付け機構２０は、熱交換器部３０の両側面の下部に設けたガイド部２１、２１と、バーナーケースＣの両側面の上部に設けた被ガイド部４１、４１とによりバーナーＢを収納したバーナーケースＣを所定位置に導くことができる。
【００３１】
即ち、バーナーケースＣを両側面のガイド部２１、２１の間に出し入れしたとき、ガイド部２１、２１の第１傾斜部Ｓ１、Ｓ１に沿って被ガイド部４１、４１の第２傾斜部Ｓ２、Ｓ２が摺動し、それによって、バーナーケースＣを受入れ端部２３から他端部２４の間で移動可能とし、所定位置での固定および所定位置からの取り外しを可能としている。
【００３２】
図３はバーナーケースＣをガイド部２１、２１間に押し込んでいるときの状態を示している。即ち、バーナーケースＣの被ガイド部４１、４１を熱交換器部３０の側面の下部に設けたガイド部２１、２１に把持させた状態で矢印Ａ１の方向にバーナーケースＣを押し込んでいる状態である。
【００３３】
被ガイド部４１、４１の第２傾斜部Ｓ２、Ｓ２はガイド部２１、２１の第１傾斜部Ｓ１、Ｓ１と接している。第１傾斜部Ｓ１、Ｓ１と第２傾斜部Ｓ２、Ｓ２の勾配は同一であるので、バーナーケースＣをその上面が熱交換器部３０の下面と平行な状態を保ったままで上方に変位させることができる。また、バーナーＢを収納したバーナーケースＣはかなりの重量となるが、ガイド部２１、２１が被ガイド部４１、４１を把持することによりその負荷が分散されるので、バーナーケースＣの装着が容易となる。
【００３４】
図４に示したようにバーナーケースＣの上面はバーナーケースＣを完全に押し込んだ位置で熱交換器部３０の下部と当接するので、変位中に熱交換器部３０の下部との摺接によって、ガスケットＧが剥がされたり捩られたりすることがなく、気密性が損じられることは無い。したがって、その状態で熱交換器部３０に固定することで、容易にバーナーケースＣを熱交換器部３０に密着させることができる。
【００３５】
バーナーケースＣを熱交換器部３０の下部の受入れ端部２３側に起立するように設けた支持片２５にバーナーケースＣの一端部の上部に設けた掛止片４２の起立した部分が接触するまで押し込み、掛止片４２の折り曲げた上部を支持片２５に掛けるようにすればバーナーケースＣの上面がガスケットＧを介して熱交換器部３０の下面部をより一層強く圧接し、掛止片４２の起立した部分と支持片２５に形成したネジ穴が重なるので、ネジで支持片２５と掛止片４２を固定すれば気密性がより高まる。
【００３６】
一方、熱交換器部３０やバーナーＢのメインテナンス、あるいは、それらおよびバーナーケースＣの清掃等を行うときは、バーナーケースＣの熱交換器部３０との固定を解除するが、バーナーケースＣの被ガイド部４１、４１が熱交換器部３０のガイド部２１、２１に把持されている間はバーナーＢおよびバーナーケースＣの重量の負荷がそれらに分散されるので、バーナーケースＣを取り出そうとする者はバーナーケースＣの一端部を軽く支えながら手前に引き出すことで容易に取り外すことが可能である。また、重量のあるバーナーＢを収納したバーナーケースＣの着脱の際の安全性を向上させることもできる。
【００３７】
【発明の効果】
本発明にかかる燃焼機のバーナーユニットによれば、バーナーをバーナーケースに収容して一体化したものを良好な気密性を発揮させながら熱交換器の下部に容易に着脱可能としたことによって、燃焼機のメインテナンスや清掃を容易にすることができるとともに、重量のあるバーナーを収納したバーナーケースの取扱い時の安全性が向上する。
【図面の簡単な説明】
【図１】本発明の一形態にかかる燃焼機のバーナーユニットを示す斜視図である。
【図２】本発明の一形態にかかる燃焼機のバーナーユニットを示す分解斜視図である。
【図３】本発明の一形態にかかる燃焼機のバーナーユニットを示す側面図である。
【図４】本発明の一形態にかかる燃焼機のバーナーユニットを示す側面図である。
【図５】従来の燃焼機のバーナーユニットを示す斜視図である。
【符号の説明】
１０…バーナーユニット
２０…取付け機構
２１…ガイド部
２３…ガイド部の受入れ端部
２４…ガイド部の他端部
２５…支持片
３０…熱交換器部
４１…被ガイド部
４２…掛止片
Ｂ…バーナー
Ｃ…バーナーケース
ｃ１…バーナーケースの一端側
ｃ２…バーナーケースの他端側
Ｓ１…第１傾斜部
Ｓ２…第２傾斜部
【図１】
0003754486.tif 000002
【図２】
0003754486.tif 000003
【図３】
0003754486.tif 000004
【図４】
0003754486.tif 000005
【図５】
0003754486.tif 000006